(57)【要約】【課題】周辺の景観を損ねることなく、表示部に最適な情報の表示を行うこと。【解決手段】情報表示装置は、所定波長の光が照射され発光することで情報を表示する透明な表示部と、表示部に対し所定波長の光を照射し該表示部を発光させることで、該表示部に情報を表示させる照射部と、照射部の照射を制御することで、表示部に表示させる情報を変更する表示制御部と、を備えている。【選択図】図１
2020052734.tif 000002
【特許請求の範囲】
【請求項１】
所定波長の光が照射され発光することで情報を表示する透明な表示部と、
前記表示部に対し前記所定波長の光を照射し該表示部を発光させることで、該表示部に前記情報を表示させる照射部と、
前記照射部の照射を制御することで、前記表示部に表示させる情報を変更する表示制御部と、
を備えることを特徴とする情報表示装置。
【請求項２】
請求項１記載の情報表示装置であって、
前記表示部から所定距離以内の物体を検出する物体検出部を更に備え、
前記表示制御部は、前記物体検出部により物体が検出されると、前記表示部が該物体に対応付けられた情報を表示するように、前記照射部の照射を制御する、
ことを特徴とする情報表示装置。
【請求項３】
請求項２記載の情報表示装置であって、
前記表示制御部は、前記物体検出部により車両及び人が検出されると、前記表示部が車両及び人用の情報を表示するように、前記照射部の照射を制御する、
ことを特徴とする情報表示装置。
【請求項４】
請求項１記載の情報表示装置であって、
前記表示制御部は、各時間帯において、前記表示部が該各時間帯に対応付けられた情報を表示するように、前記照射部の照射を制御する、
ことを特徴とする情報表示装置。
【請求項５】
請求項１乃至３のうちいずれか１項記載の情報表示装置であって、
前記表示制御部は、前記表示部の表示後、所定時間が経過した判断すると、前記表示部の表示を消去するように前記照射部の照射を制御する、
ことを特徴とする情報表示装置。
【請求項６】
請求項１乃至５のうちいずれか１項記載の情報表示装置であって、
前記表示部は、透明な板上に蛍光体膜を貼り付けて一体化した蛍光体ディスプレイとして構成されている、
ことを特徴とする情報表示装置。
【請求項７】
請求項１乃至６のうちいずれか１項記載の情報表示装置であって、
前記表示部は、道路又は建物に設けられる、
ことを特徴とする情報表示装置。
【請求項８】
透明な表示部に対し所定波長の光を照射し該表示部を発光させることで、該表示部に情報を表示するステップと、
前記照射を制御することで、前記表示部に表示する情報を変更するステップと、
を含むことを特徴とする情報表示方法。
【発明の詳細な説明】
【技術分野】
【０００１】
本発明は、情報の表示を行う情報表示装置及び情報表示方法に関する。
【背景技術】
【０００２】
所定波長の光を表示部に対して照射し、表示部を発光させることで、表示部上に、予め決まった情報を表示させる表示装置が知られている（例えば、特許文献１及び２参照）。
【先行技術文献】
【特許文献】
【０００３】
【特許文献１】特開平０８−２１１８３８号公報
【特許文献２】特開２０００−２７１２８号公報
【発明の概要】
【発明が解決しようとする課題】
【０００４】
ところで、例えば、表示部に接近する人や車両などの物体によって、あるいは、時間帯などによって表示部に表示させたい情報は異なる。しかしながら、上記表示装置は、決まった情報の表示を行うだけである。さらに、表示部が道路上や文化財などに設けられた場合、その表示部の存在が周辺の景観にも影響する。
【０００５】
本発明は、このような問題点を解決するためになされたものであり、周辺の景観を損ねることなく、表示部に最適な情報の表示を行うことができる情報表示装置及び情報表示方法を提供することを主たる目的とする。
【課題を解決するための手段】
【０００６】
上記目的を達成するための本発明の一態様は、
所定波長の光が照射され発光することで情報を表示する透明な表示部と、
前記表示部に対し所定波長の光を照射し該表示部を発光させることで、該表示部に前記情報を表示させる照射部と、
前記照射部の照射を制御することで、前記表示部に表示させる情報を変更する表示制御部と、
を備えることを特徴とする情報表示装置
である。
上記目的を達成するための本発明の一態様は、
透明な表示部に対し所定波長の光を照射し該表示部を発光させることで、該表示部に情報を表示するステップと、
前記照射を制御することで、前記表示部に表示する情報を変更するステップと、
を含むことを特徴とする情報表示方法
であってもよい。
【発明の効果】
【０００７】
本発明によれば、周辺の景観を損ねることなく、表示部に最適な情報の表示を行うことができる情報表示装置及び情報表示方法を提供することができる。
【図面の簡単な説明】
【０００８】
【図１】本発明の実施形態１に係る情報表示装置の概略的なシステム構成を示すブロック図である。
【図２】表示部の構成を示す概略図である。
【図３】表示部に表示された車両用の情報の一例を示す図である。
【図４】表示部に表示された歩行者用の情報の一例を示す図である。
【図５】表示部に表示された車両及び歩行者用の情報の一例を示す図である。
【図６】文字及び記号以外の部分の輝度を低下させた表示の一例を示す図である。
【図７】文字及び記号の部分の輝度を低下させつつ、文字及び記号以外の部分の輝度を増加させた表示の一例を示す図である。
【図８】本発明の実施形態１に係る情報表示方法のフローを示すフローチャートである。
【発明を実施するための形態】
【０００９】
実施形態１
以下、図面を参照して本発明の実施形態について説明する。図１は、本発明の実施形態１に係る情報表示装置の概略的なシステム構成を示すブロック図である。本実施形態１に係る情報表示装置１は、情報を表示する表示部２と、表示部２に対して所定波長の光を照射する照射部３と、照射部３を制御する表示制御部４と、物体を検出する物体検出部５と、を備えている。
【００１０】
表示部２は、例えば、道路、文化財の建物などに設けられている。表示部２は、例えば、交通標識などの情報を歩行者や車両などに対して、表示する。
【００１１】
図２は、表示部の構成を示す概略図である。表示部２は、所定波長の光を受けて発光することで情報を表示する表示パネル２１と、表示制御部４、照射部３及び物体検出部５を収納するためのリアパネル２２と、を有している。
【００１２】
所定波長の光は、例えば、波長４０５ｎｍ程度の紫外線などの不可視光である。表示部２の表示パネル２１は、透明なガラス板上に蛍光体膜を貼り付けて一体化した蛍光体ディスプレイとして構成されている。蛍光体膜は、例えば、紫外線によって励起され、緑色領域の可視光線を放射し、発光する。表示パネル２１は、例えば、照射部３から紫外線などを照射されて発光し、任意の形状を表示することができる。
【００１３】
上述のように、表示部２の表示パネル２１を蛍光体ディスプレイとして構成することで、光を照射した部分だけ情報として表示させ、それ以外の部分を透明な板とすることができる。したがって、必要な情報を表示しつつ、周辺の景観を損ねることもない。
【００１４】
リアパネル２２は、透明なガラス板で構成されているが、これに限定されない。上述の表示パネル２１及びリアパネル２２は、透明な樹脂板などで構成されてもよい。表示パネル２１と、リアパネル２２とで、表示制御部４、照射部３及び物体検出部５を囲い、密閉することで、温度や雨滴に対する、表示制御部４、照射部３及び物体検出部５の耐久性を向上させている。表示制御部４は、表示部２から離れた位置に設けられていてもよい。
【００１５】
上述の如く、表示パネル２１及びリアパネル２２は透明なガラスなどで構成されている。したがって、表示部２を道路上や文化財などに設置した場合でも、その表示部２は目立たないため、周辺の景観を損ねることを抑制できる。なお、表示制御部４、照射部３及び物体検出部５は、表示部２内で目立たないように、小型化され端に寄せて配置されている。
【００１６】
照射部３は、表示部２に対し紫外線などを照射し表示部２を発光させることで、表示部２に情報を表示させる。照射部３は、例えば広角表示のプロジェクタとして構成されている。これにより、照射部３と表示パネル２１との距離を短くすることができ、表示部２と照射部３とを一体で小型化することができる。照射部３は、表示制御部４からの制御信号に応じて、表示部２に表示させる情報を変更する。
【００１７】
表示制御部４は、例えば、制御処理、演算処理等を行うＣＰＵ（Central Processing Unit）４ａ、ＣＰＵ４ａによって実行される制御プログラム、演算プログラム等が記憶されたＲＯＭ（Read Only Memory）やＲＡＭ（Random Access Memory）からなるメモリ４ｂ、外部と信号の入出力を行うインターフェイス部（Ｉ／Ｆ）４ｃ、などからなるマイクロコンピュータを中心にして、ハードウェア構成されている。ＣＰＵ４ａ、メモリ４ｂ、及びインターフェイス部４ｃは、データバスなどを介して相互に接続されている。
【００１８】
表示制御部４は、照射部３に対して制御信号を送信し照射部３の照射を制御することで、表示部２に表示させる情報を変更する。
【００１９】
物体検出部５は、表示部２に接近する、人や車両などの物体を検出する。物体検出部５は、例えば、可視光線カメラ、赤外線カメラなどで構成されている。物体検出部５は、例えば、カメラにより撮影された撮影画像に対してパターンマッチング処理などを行うことで、歩行者や車両などを検出する。物体検出部５は、表示部２から所定距離以内に接近する物体を検出すると、その検出結果の信号（以下、検出結果信号を称す）を表示制御部４に出力する。なお、所定距離とは、例えば、人や車両を運転する運転者が表示部２の表示を視認できる程度の距離を指す。
【００２０】
ところで、例えば、表示部に接近する人や車両などの物体によって、あるいは時間帯などによって、表示部に表示させたい情報は異なる。また、表示部が道路上や文化財などに設けられた場合、その表示部の存在が周辺の景観にも影響することもある。
【００２１】
これに対し、本実施形態１に係る表示制御部４は、照射部３の照射を制御することで、表示部２に表示させる情報を変更する。さらに、表示部２は、上述の如く、透明なガラスなどで構成されているため、目立つことがない。これにより、周辺の景観を損ねることなく、表示部２に最適な情報の表示を行うことができる。
【００２２】
さらに、表示制御部４は、物体検出部５により物体が検出されると、表示部２が該物体に対応付けられた情報を表示するように、照射部３の照射を制御するのが好ましい。これにより、表示部２に接近する人や車両などの物体に対応付けられた最適な情報を表示部２に表示させることができる。すなわち、周辺の景観を損ねることなく、表示部２に接近する物体に適した情報の表示を行うことができる。さらに、表示制御部４に設定された情報を変更することで、表示部２に表示させる情報を容易に変更することもできる。
【００２３】
表示制御部４は、車両や歩行者などの各物体に対応付けられた情報をそれぞれ記憶している。例えば、表示制御部４は、車両に対応付けて車両用の情報、歩行者に対応付けて歩行者用の情報、及び車両及び歩行者に対応付けて車両及び歩行者用の情報を記憶している。
【００２４】
物体検出部５は、車両を検出し、その検出結果信号を表示制御部４に出力する。表示制御部４は、物体検出部５からの検出結果信号に応じて、表示部２が、図３に示すような車両に適した車両用の情報を表示するように、照射部３の照射を制御する。車両用の情報は、例えば、一般道路情報と同等の情報である。
【００２５】
物体検出部５は、歩行者を検出し、その検出結果信号を表示制御部４に出力する。表示制御部４は、物体検出部５からの検出結果信号に応じて、表示部２が、図４に示すような歩行者に適した歩行者用の情報を表示するように、照射部３の照射を制御する。歩行者用の情報は、例えば、徒歩圏内（１ｋｍ以内程度）の情報である。
【００２６】
物体検出部５は、車両及び歩行者を検出し、その検出結果信号を表示制御部４に出力する。表示制御部４は、物体検出部５からの検出結果信号に応じて、表示部２が、図５に示すような車両及び歩行者に適した車両及び歩行者用の情報を表示するように、照射部３の照射を制御する。車両及び歩行者用の情報は、例えば、車両用の情報と歩行者用の情報とを合わせた情報である。なお、車両用の情報と歩行者用の情報を所定時間で切り替えながら交互に表示するようにしてもよい。この場合、車両と歩行者の移動速度を考慮し、情報の表示時間（切替時間）を変えてもよい。例えば、車両用の情報の表示時間を５秒とし、歩行者用の情報の表示時間を３秒とするなどである。このように、車両や歩行者などの物体が表示部２に接近したときに、その物体に最適な情報をタイムリーに表示することができる。
【００２７】
なお、表示制御部４は、物体検出部５からの車両又は歩行者の検出結果信号に応じて、表示部２が、何の情報も表示せず、透明な板となるように、照射部３の照射を制御してもよい。
【００２８】
表示制御部４は、表示部２の表示パネル２１に表示される画像において、図６に示す如く、文字及び記号以外の部分の輝度を低下させるように、照射部３の照射を制御してもよい。これにより、景観と表示部２の表示とが重なり、表示の情報が見難くなることを抑制できる。
【００２９】
表示制御部４は、表示部２の表示パネル２１に表示される画像において、図７に示す如く、文字及び記号の部分の輝度を低下させつつ、文字及び記号以外の部分の輝度を増加させるように、照射部３の照射を制御してもよい。このとき、さらに表示制御部４は、文字及び記号以外の部分の輝度を、例えば最大輝度となるように、照射部３の照射を制御してもよい。文字及び記号の部分の輝度を低下させることで、白抜きのような効果を得ることができ、表示の情報が見難くなることをより改善できる。
【００３０】
図８は、本実施形態１に係る情報表示方法のフローを示すフローチャートである。
表示制御部４は、物体検出部５からの検出結果の信号に基づいて、物体検出部５が歩行者を検出したか否かを判断する（ステップＳ１０１）。
【００３１】
表示制御部４は、物体検出部５が歩行者を検出したと判断すると（ステップＳ１０１のＹＥＳ）、物体検出部５からの検出結果の信号に基づいて、物体検出部５が車両を検出したか否かを判断する（ステップＳ１０２）。
【００３２】
表示制御部４は、物体検出部５が車両を検出したと判断すると（ステップＳ１０２のＹＥＳ）、表示部２が車両及び歩行者用の情報を表示するように照射部３の照射を制御し（ステップＳ１０３）、後述の（ステップＳ１０７）に遷移する。一方、表示制御部４は、物体検出部５が車両を検出していないと判断すると（ステップＳ１０２のＮＯ）、表示部２が歩行者用の情報を表示するように照射部３の照射を制御し（ステップＳ１０４）、後述の（ステップＳ１０７）に遷移する。
【００３３】
表示制御部４は、物体検出部５が歩行者を検出していないと判断すると（ステップＳ１０１のＮＯ）、物体検出部５が車両を検出したか否かを判断する（ステップＳ１０５）。
【００３４】
表示制御部４は、物体検出部５が車両を検出したと判断すると（ステップＳ１０５のＹＥＳ）、表示部２が車両用の情報を表示するように照射部３の照射を制御し（ステップＳ１０６）、後述の（ステップＳ１０７）に遷移する。一方、表示制御部４は、物体検出部５が車両を検出していないと判断すると（ステップＳ１０５のＮＯ）、本処理を終了する。
【００３５】
表示制御部４は、上記表示部２の表示後、所定時間が経過したか否かを判断する（ステップＳ１０７）。表示制御部４は、所定時間が経過したと判断すると（ステップＳ１０７のＹＥＳ）、表示部２の表示を消去するように照射部３の照射を制御する（ステップＳ１０８）。なお、表示制御部４は、ステップＳ１０７において、所定時間が経過する前に物体検出部５により歩行者や車両を再検出した場合には、ステップＳ１０１あるいはステップＳ１０２に戻って表示部の表示を継続するように、照射部３の照射を制御してもよい。このように、表示部２は、人や車両が接近し、表示が必要となる時のみ表示を行い、必要時以外は表示を消去し単なる透明な板となる。したがって、周辺の景観への影響を小さくすることができる。特に、景観条例によって、景観を損なう看板などが規制され、交通標識なども小さな標識に制限される場合に、本実施形態１に係る表示部２は有効的である。
【００３６】
以上、本実施形態１に係る情報表示装置１において、表示制御部４は、照射部３の照射を制御することで、表示部２に表示させる情報を変更する。さらに、表示部２は、上述の如く、透明なガラスで構成されているため、目立つことがない。これにより、周辺の景観を損ねることなく、表示部２に最適な情報の表示を行うことができる。
【００３７】
実施形態２
本発明の実施形態２において、表示制御部４は、各時間帯において、表示部２が各時間帯に対応付けられた情報を表示するように、照射部３の照射を制御する。表示制御部４は、各時間帯に対応付けられた最適な情報をそれぞれ記憶している。
【００３８】
例えば、ある車線において車両の進行方向が、時間帯によって変化することがある。この場合、表示制御部４は、ある時間帯になると、表示部２が情報の表示を左右反転させ、その情報を逆方向から見えるように、照射部３の照射を制御してもよい。これにより、時間帯に応じて変化する車両の進行方向に応じた最適な表示を行うことができる。
【００３９】
また、例えば、小学校通学路などでは通学時間帯（７時〜８時など）にあわせた注意喚起の表示が必要となる。特に、車両に対して小学生の飛び出しなどを抑制する注意喚起が必要となる場合がある。この場合、表示制御部４は、通学時間帯になると、表示部２が平仮名などの低学年の小学生でも読み易い情報の表示を行うように、照射部３の照射を制御する。これにより、通学時間帯に応じた特別な注意喚起を行うことができる最適な情報の表示を行うことができる。
【００４０】
なお、表示制御部４は、表示部２が所定時間帯に何の情報も表示せず透明な板となるように、照射部３の照射を制御してもよい。これにより、必要な時間帯のみ情報を表示させ、それ以外の時間帯で表示部を単なる透明な板とすることができ、景観への影響を低減できる。
【００４１】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４２】
上記実施形態において、表示部２は、道路に設けられているが、これに限定されず、文化財の建物の窓、景観条例のある地域の建造物や看板などに設けられてもよい。これにより、文化財の景観を損ねることなく、観光客等に対して、適切な表示を行うことができる。
【００４３】
表示部２は、文化財の壁などを守る保護ガラスとして構成されてもよい。例えば、武家屋敷など見通しが悪い場所で、Ｔ字路などで正面の壁に設置することで、武家屋敷の景観を邪魔せずに必要なときのみ情報の表示を行うことができる。
【００４４】
さらに、表示部２は、高速道路サービスエリアの建物ガラス壁として構成されてもよい。例えば、表示部２は、巨大サービスエリアの駐車場で本線方向を見失わないよう大きな矢印を表示する。
【００４５】
本発明は、例えば、図８に示す処理を、ＣＰＵにコンピュータプログラムを実行させることにより実現することも可能である。
【００４６】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００４７】
プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４８】
１  情報表示装置
２  表示部
３  照射部
４  表示制御部
５  物体検出部
【図１】
2020052734.tif 000003
【図２】
2020052734.tif 000004
【図３】
2020052734.tif 000005
【図４】
2020052734.tif 000006
【図５】
2020052734.tif 000007
【図６】
2020052734.tif 000008
【図７】
2020052734.tif 000009
【図８】
2020052734.tif 000010